(57)【要約】      （修正有）【課題】簡便で確実に、微小物を取り上げ、所定の場所で容易に棒先端から離脱することができる微小物取り扱い用器具を提供する。【解決手段】粘着材２を一端に固定して粘着棒１を作り、この棒を取り囲む外管４に挿入して、粘着材１で微小物８を付着捕獲した後、粘着棒１を外管４に引き込むか、外管４を突き出すことによって粘着面に付着した微小物８を外管４の端面に当てて離脱させる機構を有する。【選択図】図４
0003153122.tif 000002
【実用新案登録請求の範囲】
【請求項１】
粘着材を一端に取り付けた棒と、この棒を取り囲む外管からなり、当該粘着棒の粘着面で微小物を付着捕獲した後、粘着棒を外管内に引き込むか、外管を突き出すことによって粘着面に付着した微小物を外管の端面に当てて離脱させる機構を有する微小物取扱い器具。
【請求項２】
粘着材がウレタンエラストマーからなる請求項１に記載の微小物取扱い器具。
【考案の詳細な説明】
【技術分野】
【０００１】  本考案は、細い棒の先端に取り付けた粘着材の粘着力によって微小物を捕獲し、かつ捕獲した微小物を、棒とこれを取り囲む外管との相対的摺動で所定の場所に簡単に離脱することができる取扱い器具に関する。
【背景技術】
【０００２】  従来の技術として、微小物を取り上げるためには、ピンセットが良く知られている。
また、真空吸引や粘着力もしくは樹脂製発泡材を利用した微小物取扱い器具も知られている。
【先行技術文献】
【特許文献】
【０００３】
【特許文献１】特許公開２００１−９７４２号公報
【特許文献２】特許３８０５７８０号
【特許文献３】実用新案登録第３０９９３９７号公報
【考案が解決しようとする課題】
【０００４】  これまでの微小物を取扱う器具としてはピンセット方式のものが広く知られているが、ピンセット先端でのはさみ方が不十分だと微小物を飛ばしてしまったり、柔軟な薄片様の物をつまむと折れたり、しわになったりすることがある。また、小径な孔のはまり込んだビーズや小球体では孔と球体との間にすき間がないため、はまり込んだ球体を確実につまむことができないという問題があった。
【０００５】  一方で、上記のような場合に有効とされる真空吸引方式の器具では、吸引面が滑らかで通気性のないものしか取り上げられないし、おおむね装置が大きく、だれにでも、どこでも使える器具とは言いがたい。
【０００６】  ただし、真空吸引方式でも軽便なものが提案されているが、動力が不可欠であり、電源が尽きると使い続けられないという欠点があった（特許文献１）。
【０００７】  ところが、粘着式の器具ならば、被保持物の材質や形状に左右されずに、はさまずに取り上げることができ、特別な動力もいらず、低価格で簡単に実施できて好都合である。
たとえば、粘着性の高粘度液体を細い先端に供給して、微小な被保持物を取り上げ、かつ離脱させる方法が提案されている（特許文献２）。
【０００８】  この発明では、細管に粘度の高い液体の粘着材を押し込んで先端から吐出させるために、ある程度軟らかい粘着材を用いることになるので粘着材が被保持物側に転着して汚染することがあった。
【０００９】  ほかに、アクリル樹脂などの樹脂製発泡材を用いた器具も提案されており、簡便で転着もないものの、吸着力が弱いために、微小物に押し付ける必要があるので、脆弱な被保持物を損壊することがあった（特許文献３）。
【００１０】  かかる課題を解決すべく、簡便で確実に、様々な微小被保持物を取り上げ、離脱させる器具として本考案がなされた。
【課題を解決するための手段】
【００１１】  本考案の器具は、粘着材を棒の一端に固定して粘着棒を作り、これより太い内径の管（外管）内に挿入して粘着棒または外管を前後に摺動させる機構にし、当該粘着棒を外管から出したままで微小物に接触させて取り上げ、微小物を離脱するときには、当該粘着棒を外管内に引き込むか、外管を突き出すことによっておこなう。
【考案の効果】
【００１２】  本考案の器具を用いれば、被保持物の材質や形状を問わずに、これを損壊や汚染することなく、容易に何度も取り上げ、離脱させることができるから、作業の能率が格段に上昇する。また、ペン型なので、なんら動力を必要とせず、低価格でかつ、いつでもどこでも作業ができる。
【図面の簡単な説明】
【００１３】
【図１】は棒を用いた粘着棒の全体と管を用いた場合の断面を示した斜視図である。
【図２】は考案の器具が微小物を捕らえたところを示した断面図である。
【図３】は考案の器具が微小物を離脱するところを示した断面図である。
【図４】は考案の器具が微小物を捕らえたところを示した斜視図である。
【考案を実施するための形態】
【００１４】  本考案の実施の形態を、図面を参照して説明する。
図１は、粘着棒１を示す図である。粘着棒１は管または棒のいずれでもよいが、管の方が粘着材２たるエラストマーを確実に固定するのに好ましい。
【００１５】  粘着棒１の材質は、金属、樹脂、ガラスもしくはこれらの組み合わせのいずれでもよいが、金属または樹脂が好ましく、なかでも金属が、強度の面でより好ましい。
以下、本考案の微小物取扱い器具について、詳しく説明する。
【００１６】  外径０．８ｍｍ、内径０．５ｍｍのステンレス製の管に普通に用いられる二液硬化型のポリウレタンを重量比１対１で混合したプレミックスを満たし、先端に該ポリウレタンを内径以上外径以下の半球形または同じ直径で長さ０．５ｍｍ以内の円柱形もしくは円錐台形に保型し、１００℃で２時間の条件のもとで硬化させたエラストマー粘着材２を先端に有した粘着棒１とし、これを受け７に接着固定する。
【００１７】  微小物を取り上げるための粘着材２は、エラストマーが好適に用いられるが、粘着材２の保型性、非転着性および再接着性においてポリウレタンエラストマーがより好ましい。
【００１８】  ポリウレタンエラストマーを粘着材２に用いる場合に、主成分としてのポリイソシアネート成分と硬化成分としてのポリオール成分の重量比が１００／１１０から１００／９０が好ましく、なかでも１００／１００から１００／９５の範囲において粘着力と保型性のバランスがより好ましい。
【００１９】  粘着性先端の形状は、微小被保持物８に応じて形成させることが好ましいが、いずれにしても強度のある形状にしないと、粘着材２としてのエラストマーが伸びきってしまったり、ちぎれたり、変形して外管４にまで付着して微小被保持物８を離脱しなくなる。
【００２０】  また、外管４の材質は金属が強度の面で好ましいものの、被保持物を傷つけないという面では樹脂も好適に使用することができる。
【００２１】  図２は、被保持物を取り上げるために、離脱レバー３を押して、粘着棒１の先端を突き出した状態を表している。また図３は、離脱レバー３を解除して、微小被保持物８を離脱させた状態を表している。
【００２２】  図４は本考案の実施の斜視図である。微小被保持物８を容易に離脱させるために、全体の形状をペン型にして把持しやすくし、その側面に人差し指または親指で操作しやすいように押しボタン式の離脱レバー３を備える。
【００２３】  離脱レバー３は、テコの原理で粘着棒１を突き出す運動を作り出すものである。すなわち、離脱レバー３を押し下げると、プッシャー６の溝に沿って摺動してプッシャー６を前進させ、粘着棒１の後端にある受け７を通じて粘着棒１を前進させる。また、離脱レバー３を離すと、突き出した粘着棒１は、圧縮バネ５により外管内４に引き込まれ、被保持物８が落下する。
【００２４】  本考案の離脱機構では、微小被保持物８を取り上げるときのみ、粘着棒１の粘着性先端を出すので、使わないときは、自動的に粘着性先端が外管内４に引き込まれ、粘着性先端が塵埃等を不用意に吸着しにくくなっている。
【００２５】  本粘着材２は、使用中に塵埃などを吸着して、粘着力が衰えるが、水またはアルコールおよびこれらを適宜の比率で混合した液体で洗浄し乾燥することにより、再び粘着性を示すので、何度でも使うことができる。
【００２６】  粘着材２の粘着力が、上記方法でも回復しなくなった場合には、粘着棒１を取替えられるようになっているので、新たな粘着棒１に交換して、再び使うことができる。
【産業上の利用可能性】
【００２７】  本考案は、微小物を取り扱う分野であれば、どのような業種でも使いうるものであるが、とりわけ、低価格と簡便さを要求する需要家に好適である。たとえば、ネイルアート産業、模型製作産業、アクセサリーまたは宝飾品産業等の業種での利用が考えられる。
【符号の説明】
【００２８】１  粘着棒
２  粘着材
３  離脱レバー
４  外管
５  圧縮バネ
６  プッシャー
７  受け
８  微小被保持物
【図１】
0003153122.tif 000003
【図２】
0003153122.tif 000004
【図３】
0003153122.tif 000005
【図４】
0003153122.tif 000006